(57)【要約】【課題】体圧分散性や外観を極力損なわずにズレを生じ難くすることが可能となるマットレスカバーを提供する。【解決手段】第１収容体、第２収容体、および変形抑制シートを有し、第１収容体に第１クッションを収容した第１ユニットの上に第２収容体に第２クッションを収容した第２ユニットを連結させたマットレスの形成に用いるマットレスカバーであって、前記変形抑制シートは、第２収容体の生地よりも伸長率が低く、第２収容体に連結されて第１クッションと第２クッションの間であるクッション間に配置されるマットレスカバーとする。【選択図】図２
2020081382.tif 000002
【特許請求の範囲】
【請求項１】
第１収容体、第２収容体、および変形抑制シートを有し、
第１収容体に第１クッションを収容した第１ユニットの上に第２収容体に第２クッションを収容した第２ユニットを連結させたマットレスの形成に用いるマットレスカバーであって、
前記変形抑制シートは、
第２収容体の生地よりも伸長率が低く、第２収容体に連結されて第１クッションと第２クッションの間であるクッション間に配置されることを特徴とするマットレスカバー。
【請求項２】
前記変形抑制シートは、伸長率が３％以下であることを特徴とする請求項１に記載のマットレスカバー。
【請求項３】
第１ユニットと第２ユニットを着脱可能に連結する第１連結部材、および、前記変形抑制シートを第１収容体または第２収容体に着脱可能に連結する第２連結部材が、前記クッション間に配置され、
第１収容体の上側に第１クッションを収容可能とする第１開口部が設けられ、第２収容体の下側に第２クッションを収容可能とする第２開口部が設けられたことを特徴とする請求項２に記載のマットレスカバー。
【請求項４】
第２連結部材は、第２収容体に設けられて前記変形抑制シートを第２収容体に着脱可能に連結するものであって、第２開口部を囲むように設けられ、
第１連結部材は、第２連結部材を囲むように設けられることを特徴とする請求項３に記載のマットレスカバー。
【請求項５】
第１連結部材および第２連結部材は、
非伸張性のファスナーを用いて形成されていることを特徴とする請求項３または請求項４に記載のマットレスカバー。
【請求項６】
第１連結部材および第２連結部材は、
上方視により、前記マットレスの外周から内側に向かって３cm以上かつ１５cm以下の領域内に設けられたことを特徴とする請求項３から請求項５の何れかに記載のマットレスカバー。
【請求項７】
請求項１から請求項６の何れかに記載のマットレスカバーと、第１収容体に収容される第１クッションと、第２収容体に収容される第２クッションと、を有するマットレスであって、
第１クッションおよび第２クッションの少なくとも一方として、フィラメント３次元結合体を採用したことを特徴とするマットレス。
【発明の詳細な説明】
【技術分野】
【０００１】
本発明は、マットレスカバーおよびこれを用いて形成されるマットレスに関する。
【背景技術】
【０００２】
従来、寝具等としてマットレスが広く利用されている。理想的なマットレスに求められる７大要素としては、（１）適度な保温性があること（暖かさを調整しやすいこと）、（２）適度な透湿性があること（汗をかいても蒸れないこと）、（３）適度な反発力があること（寝返り性がよいこと）、（４）体圧分散性がよいこと（適度な柔らかさがあること）、（５）アレルゲンが少ないこと（ダニ等が繁殖しにくいこと）、（６）クリーニングがしやすいこと（水に強く乾燥が速いこと）、および（７）環境にやさしいこと（リサイクルしやすい素材であること）が挙げられる。
【０００３】
上記の７大要素を高次元で満足できるマットレス用クッション材としては、例えば、特許文献１や特許文献２に記載されたフィラメント３次元結合体（網状構造体）が知られている。上記文献に開示されたフィラメント３次元結合体の製造方法によれば、水平に配置された複数のノズルから溶融状態の樹脂を鉛直方向下向きに押し出した後、直径が１mm前後の溶融フィラメントを冷却水中に落下させ、水の浮力で溶融フィラメントのループを形成させる。これら複数の溶融フィラメントどうしを３次元的に融着結合させることで、空隙率が９０％を超える極めて風通しのよいフィラメント３次元結合体が製造される。
【０００４】
上述したフィラメント３次元結合体は、例えば、季節に応じて最適な保温性を有するマットレスカバーを被せて、マットレスとして使用され得る。
【先行技術文献】
【特許文献】
【０００５】
【特許文献１】特開２０１８−２８１６１号公報
【特許文献２】特許第４９６６４３８号公報
【発明の概要】
【発明が解決しようとする課題】
【０００６】
しかしながら、マットレス用クッション材として上記のフィラメント３次元結合体を適用しても、使用するマットレスカバーの伸縮性が足りないと、体圧分散性（柔らかな寝心地）が損なわれるといった課題があった。一方、体圧分散性が損なわれないように伸縮性に優れたマットレスカバーを使用すると、マットレス用クッション材として用いるフィラメント３次元結合体の表面は滑らかで摩擦抵抗が小さいことから、マットレスカバーの上面生地が伸びて、ずれるといった課題があった。
【０００７】
図９（Ａ）は、従来のマットレスカバー５０を使用した際に、マットレスカバー５０がずれた様子を模式的に示している。また図９（Ｂ）は、マットレスカバー５０の上面生地５１が変形する様子を上方視点で模式的に示しており、図９（Ｃ）は、当該変形によりマットレスカバー５０の前後方向（使用者の身長方向）の中央部が回動する様子を、断面図（図９（Ｂ）に示すＡ−Ａ´断面図）で模式的に示している。
【０００８】
マットレスカバー５０上に横たわっている使用者が寝返り動作等（主に左右への動き）を行うと、図９（Ｂ）に示すように、マットレスカバー５０の上面生地５１がその方向に引っ張られて変形する。このような変形は、通常、マットレスカバー５０の前後方向中央部に近いほど顕著となる。そして当該変形が生じた結果、図９（Ｃ）に示すように、マットレスカバー５０は前後方向を軸とした周方向に回動する。これにより、図９（Ａ）に示すようなマットレスカバー５０のズレが生じることになる。
【０００９】
マットレスカバー５０のズレが大きくなると、生地が伸び過ぎて傷み易くなる他、マットレスカバー５０の側面生地５２が上側へ大きく露出してしまい、寝心地や外観等が損なわれるといったことが問題となる。特に、上面生地５１と側面生地５２が質感や外観において異なる場合には、この問題はより深刻となる。
【００１０】
なお、体圧分散性が損なわれないようにマットレスカバーの伸縮性を上げるほど、マットレスカバーのズレが生じ易くなり、このような問題は発生し易くなる。本発明は上記課題に鑑み、体圧分散性や外観を極力損なわずにズレを生じ難くすることが可能となるマットレスカバーの提供を目的とする。
【課題を解決するための手段】
【００１１】
本発明に係るマットレスカバーは、第１収容体、第２収容体、および変形抑制シートを有し、第１収容体に第１クッションを収容した第１ユニットの上に第２収容体に第２クッションを収容した第２ユニットを連結させたマットレスの形成に用いるマットレスカバーであって、前記変形抑制シートは、第２収容体の生地よりも伸長率が低く、第２収容体に連結されて第１クッションと第２クッションの間であるクッション間に配置される構成とする。
【００１２】
本構成によれば、体圧分散性や外観を極力損なわずにズレを生じ難くすることが可能となる。なお、ここでの「第２収容体に連結されて」とは、第２収容体に直接的に連結される形態の他、第２収容体に間接的に連結される形態（例えば本発明の第２実施形態のように、第１収容体を介して第２収容体に連結される形態など）も含む概念である。
【００１３】
また上記構成としてより具体的には、前記変形抑制シートは、伸長率が３％以下である構成としてもよい。本構成によれば、伸長率が十分に低い変形抑制シートを用いて、マットレスカバーのズレを効果的に抑えることが可能となる。
【００１４】
上記構成としてより具体的には、第１ユニットと第２ユニットを着脱可能に連結する第１連結部材、および、前記変形抑制シートを第１収容体または第２収容体に着脱可能に連結する第２連結部材が、前記クッション間に配置され、第１収容体の上側に第１クッションを収容可能とする第１開口部が設けられ、第２収容体の下側に第２クッションを収容可能とする第２開口部が設けられた構成としてもよい。
【００１５】
本構成によれば、第１ユニットと第２ユニットを適宜分離して各クッションを取り外し、更に変形抑制シートを取り外して、各収容体や各クッションを容易に洗濯したりクリーニングしたりすることが可能となる。また、各ファスナーや各開口部はクッション間に配置されるため、これらを極力外部へ露出させず、マットレスの外観が損なわれることを防ぐことが可能となる。
【００１６】
また上記構成としてより具体的には、第２連結部材は、第２収容体に設けられて前記変形抑制シートを第２収容体に着脱可能に連結するものであって、第２開口部を囲むように設けられ、第１連結部材は、第２連結部材を囲むように設けられる構成としてもよい。
【００１７】
本構成によれば、マットレスを形成する際に第２開口部が下を向くように第２ユニットを動かしても、第２クッションの脱落を未然に防ぐことができる。また、第２収容体に変形抑制シートを連結してから第１ユニットと第２ユニットを連結する作業を、容易に行うことが可能となる。
【００１８】
また上記構成としてより具体的には、第１連結部材および第２連結部材は、非伸張性のファスナーを用いて形成されている構成としてもよい。本構成によれば、変形抑制シートの変形を抑える効果と非伸張性のファスナーの張力効果によって、マットレスカバーのズレを更に発生し難くすることが可能となる。
【００１９】
また上記構成としてより具体的には、第１連結部材および第２連結部材は、上方視により、前記マットレスの外周から内側に向かって３cm以上かつ１５cm以下の領域内に設けられた構成としてもよい。
【００２０】
また本発明に係るマットレスは、上記構成のマットレスカバーと、第１収容体に収容される第１クッションと、第２収容体に収容される第２クッションと、を有するマットレスであって、第１クッションおよび第２クッションの少なくとも一方として、フィラメント３次元結合体を採用した構成とする。
【発明の効果】
【００２１】
本発明に係るマットレスカバーによれば、体圧分散性を損なうことなくズレを生じ難くすることが可能となる。また本発明に係るマットレスによれば、極めて風通しの良いクッションを利用しつつ、本発明に係るマットレスカバーの利点を享受することが可能となる。
【図面の簡単な説明】
【００２２】
【図１】第１実施形態に係るマットレス１００の斜視図である。
【図２】マットレス１００の断面図である。
【図３】マットレス１００の分解斜視図である。
【図４】マットレス１００における第１ユニット１００ａの分解斜視図である。
【図５】マットレス１００における第２ユニット１００ａの分解斜視図である。
【図６】第２実施形態に係るマットレス２００の断面図である。
【図７】マットレス２００の分解斜視図である。
【図８】伸張率の測定方法に関する説明図である。
【図９】従来のマットレスカバーのズレに関する説明図である。
【発明を実施するための形態】
【００２３】
本発明の実施形態について、第１実施形態と第２実施形態を例に挙げ、各図面を参照しながら以下に説明する。なお以下の説明における上下、左右、および前後の各方向（互いに直交する方向）は、各図に示すとおりである。
【００２４】
１．第１実施形態
まず本発明の第１実施形態について説明する。図１は、第１実施形態に係るマットレス１００の概略的な斜視図である。図２は、マットレス１００を前後に概ね二等分する平面（前後方向に対して垂直な平面）で切断した場合の概略的な断面図である。図３は、マットレス１００の分解斜視図である。なお図３に示す第２ユニット１００ｂについては、説明の都合上、上下を逆にして表している。
【００２５】
マットレス１００は、第１ユニット１００ａとその上部に設けられる第２ユニット１００ｂを有する上下２層のマットレスであり、マットレスカバー１とその内部に収容される２個の直方体のクッション（第１クッション４と第２クッション５）により構成されている。
【００２６】
マットレス１００は、全体的に見て前後方向を長手方向とし上下方向を厚み方向とする略直方体であり、その上側において前後方向を身長方向として使用者が寝るために適した形状および寸法となっている。マットレスカバー１は、第１クッション４を収容するための内部空間を有する第１収容体２と、第２クッション５を収容するための内部空間を有する第２収容体３と、第１クッション４と第２クッション５の間に設けられる変形抑制シート６を含む。
【００２７】
第１収容体２と第２収容体３は、第１ファスナー１１によって着脱可能に（離接可能に）連結される。第１ファスナー１１は、第１収容体２に設けられた第１係合部材１１ａと、第２収容体３に設けられた第２係合部材１１ｂとを有し、これらが係合することにより第１収容体２と第２収容体３が連結する。
【００２８】
第２収容体３と変形抑制シート６は、第２ファスナー１２によって着脱可能に連結される。第２ファスナー１２は、第２収容体３に設けられた第３係合部材１２ａと、変形抑制シート６に設けられた第４係合部材１２ｂとを有し、これらが係合することにより第２収容体３と変形抑制シート６が連結する。
【００２９】
図４は、図３に示す第１ユニット１００ａの分解斜視図である。第１ユニット１００ａは、略直方体の内部空間を有する第１収容体２と、その内部に収容される第１クッション４とで構成されている。第１収容体２の形状および寸法は、その内部空間に収容される第１クッション４の外面にフィットするよう適切に設定されている。第１収容体２は、第１クッション４の底面（下面）を被覆する第１底面生地２１と、第１クッション４の側面（前後左右の各面）を被覆する第１側面生地２２と、第１クッション４の上面における全周の外縁近傍を被覆する第１上面生地２３とを有する。
【００３０】
第１上面生地２３の内側には第１開口部２ｈが設けられている。すなわち第１上面生地２３は、第１側面生地２２の全周の上端から第１開口部２ｈに至るまで張出した形態となっている。第１開口部２ｈを介して、第１クッション４を第１収容体２に対して自在に出し入れすることが可能である。また、第１上面生地２３における第１開口部２ｈの全周に面した部分（第１上面生地２３の内側の縁）には、第１開口部２ｈを囲むように第１係合部材１１ａ（第１ファスナー１１の構成部材）が配置されている。
【００３１】
本実施形態においては、第１係合部材１１ａは全周にわたって、第１上面生地２３の外周部から８cm内側に設けられている。第１上面生地２３の外周部から第１係合部材１１ａまでの距離が３cm未満の場合、第１係合部材１１ａが引っ張られた際にマットレス側面にはみ出しやすくなり、逆に当該距離が１５cnを超えると、第１収容体２に対する第１クッション４の出し入れが難しくなる。そのため、第１上面生地２３の外周部から第１係合部材１１ａまでの距離は、３cm以上かつ１５cm以下であることが好ましい。
【００３２】
図５は、図３に示す第２ユニット１００ｂの分解斜視図である。第２ユニット１００ｂは、略直方体の内部空間を有する第２収容体３と、その内部に収容される第２クッション５と、変形抑制シート６とで構成されている。第２収容体３の形状および寸法は、その内部空間に収容される第２クッション５の外面にフィットするよう適切に設定されている。第２収容体３は、第２クッション５の底面（下面）における外縁部を被覆する第２底面生地３１と、第２クッション５の側面（前後左右の各面）を被覆する第２側面生地３２と、第２クッション５の上面を被覆する第２上面生地３３とを有する。
【００３３】
第２底面生地３１の内側には第２開口部３ｈが設けられている。すなわち第２底面生地３１は、第２側面生地３２の全周の下端から第２開口部３ｈに至るまで張出した形態となっている。第２開口部３ｈを介して、第２クッション５を第２収容体３に対して自在に出し入れすることが可能である。また、第２底面生地３１における第２開口部３ｈの全周に面した部分（第２底面生地３１の内側の縁）には、第２開口部３ｈを囲むように第３係合部材１２ａ（第２ファスナー１２の構成部材）が配置されている。
【００３４】
一方、変形抑制シート６の形状および寸法は、その外周が第２開口部３ｈの外周と概ね一致するように設定されている。更に変形抑制シート６の外周全体には、第４係合部材１２ｂ（第２ファスナー１２の構成部材）が設けられている。このように変形抑制シート６は、第２ファスナー１２を用いて第２収容体３に着脱自在に連結し得るとともに、第２開口部３ｈを過不足無く塞ぐことができるように形成されている。
【００３５】
また、第２底面生地３１においては、第３係合部材１２ａの全周を外側から囲むように、第２係合部材１１ｂ（第１ファスナー１１の構成部材）が配置されている。第２係合部材１１ｂは、第１係合部材１１ａへ容易に係合させることができるように適切な位置に配置されている。
【００３６】
本実施形態においては、第２係合部材１１ｂは全周にわたって、第２底面生地３１の外周部から８cm内側に設けられている。第２底面生地３１の外周部から第２係合部材１１ｂまでの距離が３cm未満の場合、第２係合部材１１ｂが引っ張られた際にマットレス側面にはみ出しやすくなり、逆に当該距離が１５cmを超えると、第２収容体３に対する第２クッション５の出し入れが難しくなる。そのため、第２底面生地３１の外周部から第２係合部材１１ｂまでの距離は、３cm以上かつ１５cm以下であることが好ましい。
【００３７】
マットレス１００は、第１収容体２に第１クッション４を収容して第１ユニット１００ａを形成する第１作業、第２収容体３に第２クッション５を収容する第２作業、第２ファスナー１２を用いて変形抑制シート６を第２収容体３に連結させ第２ユニット１００ｂを形成する第３作業、および、第１ファスナー１１を用いて第２ユニット１００ｂを第１ユニット１００ａに連結させる第４作業、を順に実施することにより形成可能である。なお、第３作業により第２収容体３の第２開口部３ｈは変形抑制シート６によって閉じられる。そのため第４作業を実施する際、第２開口部３ｈが下を向くように第２ユニット１００ｂを動かしても、第２開口部３ｈからの第２クッション５の脱落は未然に防がれる。
【００３８】
以上に説明したとおりマットレスカバー１は、第１収容体２、第２収容体３、および変形抑制シート６を有する。またマットレスカバー１は、第１ユニット１００ａ（第１収容体２に第１クッション４を収容したもの）の上に第２ユニット１００ｂ（第２収容体３に第２クッション５を収容したもの）を連結させたマットレス１００の形成に用いるマットレスカバーである。
【００３９】
変形抑制シート６は、第１および第２収容体２、３の何れの生地よりも伸長率が十分に低く、具体的には、伸長率が３％以下の生地により形成されている。更に変形抑制シート６は、第２収容体３に連結されて、第１クッション４と第２クッション５の間であるクッション間に配置される。
【００４０】
このように本実施形態では、変形し難い生地により形成された変形抑制シート６が第２収容体３に連結されてクッション間に配置される。そのため、体圧分散性が損なわれないようにマットレスカバー１の上面（第２上面生地３３）等に伸縮性に優れた生地を用いた場合でも、図９（Ｃ）に例示したマットレスカバーの回動によるズレが生じ難くなる。すなわち、変形抑制シート６は伸長率が比較的低いため、少なくとも変形抑制シート６の部分において上記回動を生じる変形（前後方向中央部が撓むような変形）が抑制され、マットレスカバー１の回動によるズレが生じ難くなる。
【００４１】
また、変形抑制シート６をクッション間に配置したことにより、第２ユニット１００ｂの重みやマットレス１００の使用者の体重によって変形抑制シート６が上下方向に押え付けられるため、摩擦力を利用して変形抑制シート６の左右方向の動きを抑えることも可能である。更に、変形抑制シート６をクッション間に配置したことにより、変形抑制シート６を極力外部へ露出させず、マットレス１００の外観が損なわれることを防ぐことが可能である。
【００４２】
なおマットレスカバー１の回動によるズレは、長手方向両端部では比較的発生し難く、長手方向中央部に近いほど大きくなる傾向にある。そのため変形抑制シート６は、マットレスカバー１の長手方向中央部をカバーするとともに、少なくとも長手方向に出来るだけ大きく形成されていることが、上記のズレを効果的に抑制できる点で望ましい。本実施形態の変形抑制シート６は、第３係合部材１２ａに囲まれた領域全体に及ぶ程度に大きく形成されており、ズレを効果的に抑制することが可能である。
【００４３】
またマットレスカバー１は、第１ユニット１００ａと第２ユニット１００ｂを着脱可能に連結する第１ファスナー１１（第１連結部材）、および、変形抑制シート６を第２収容体３に着脱可能に連結する第２ファスナー１２（第２連結部材）がクッション間に配置され、第１収容体２の上側に第１クッション４を収容可能とする第１開口部２ｈが設けられ、第２収容体３の下側に第２クッション５を収容可能とする第２開口部３ｈが設けられている。
【００４４】
そのため、第１ユニット１００ａと第２ユニット１００ｂを適宜分離して各クッション４、５を取り外し、更に変形抑制シート６を取り外して、各収容体２、３や各クッション４、５を容易に洗濯したりクリーニングしたりすることが可能である。また、各ファスナー１１、１２や各開口部２ｈ、３ｈはクッション間に配置されるため、これらを極力外部へ露出させず、マットレス１００の外観が損なわれることを防ぐことが可能である。
【００４５】
なお、第２ファスナー１２は、第２収容体３に設けられて変形抑制シート６を第２収容体３に着脱可能に連結するものであって、第２開口部３ｈを囲むように設けられ、第１ファスナー１１は、第２ファスナー１２を囲むように設けられる。そのためマットレス１００を形成する際、第２開口部３ｈが下を向くように第２ユニット１００ｂを動かしても、第２クッション５の脱落を未然に防ぐことができる。また、第２収容体３に変形抑制シート６を連結してから第１ユニット１００ａと第２ユニット１００ｂを連結する作業を、容易に行うことが可能である。
【００４６】
また各ファスナー１１、１２は、非伸張性のファスナーを用いて形成されている。そのため、変形抑制シート６の変形を抑える効果と非伸張性のファスナーの張力効果によって、上述したマットレスカバー１のズレが更に発生し難くなっている。
【００４７】
なお、第１ファスナー１１および第２ファスナー１２の一方または両方については、マジックテープ（登録商標）等の面ファスナーなどを、着脱可能な連結用部材として採用することもできる。但し、マットレスカバー１を伸び難くする（非伸張性を向上させる）ことができる点で、これらのファスナー１１、１２については、１本の連続したスライドファスナー（非伸張性の帯の側面に等間隔に固定したプラスチックや金属の係合部材が、交互に係合するファスナー）のように、非伸張性のファスナーを採用するのが好ましい。
【００４８】
第１収容体２、第２収容体３、および変形抑制シート６に使用する生地としては、通気性を備える生地を採用することが好ましい。またこれらの生地としては、例えば寝室内の温度に合わせて、中綿を含むキルト生地を用いてもよい。なお、本実施形態のマットレスカバー１は、２個のクッションを収容する２層構造のマットレスカバーとなっているが、本発明に係るマットレスカバーはこの形態に限られるものではなく、３個以上のクッションを収容するマットレスカバーとしてもよい。
【００４９】
また、各クッション４、５の一方または両方として、フィラメント３次元結合体を採用することが出来る。フィラメント３次元結合体は、溶融状態にある複数の熱可塑性樹脂繊維（溶融フィラメント）同士を３次元的に融着結合させて形成されたものである。フィラメント３次元結合体およびその製造方法は、例えば特許文献１に開示されているとおり公知であるため、ここではその詳細な説明を省略する。フィラメント３次元結合体を用いれば、空隙率が９０％を超える極めて風通しの良いクッションとすることが可能である。各クッション４、５の一方または両方としてフィラメント３次元結合体を採用した場合であっても、本実施形態に係るマットレスカバー１を使用すれば、上述したズレを生じ難くすることが可能である。
【００５０】
２．第２実施形態
次に本発明の第２実施形態について説明する。第２実施形態は、第１上面生地２３（第１開口部２ｈおよび第１係合部材１１ａを含む）と第２底面生地３１（第２開口部３ｈ、第２係合部材１１ｂ、および第３係合部材１２ａを含む）に関する点を除いて、基本的には第１実施形態と同様である。以下の説明では、第１実施形態と異なる点の説明に重点をおき、第１実施形態と共通する点については説明を省略することがある。
【００５１】
図６は、第２実施形態に係るマットレス２００を前後に概ね二等分する平面（前後方向に対して垂直な平面）で切断した場合の概略的な断面図である。図７は、マットレス２００の分解斜視図である。なお図７に示す第２ユニット２００ｂについては、説明の都合上、上下を逆にして表している。
【００５２】
マットレス２００は、第１ユニット２００ａ（第１実施形態の第１ユニット１００ａに相当する）とその上部に設けられる第２ユニット２００ｂ（第１実施形態の第２ユニット１００ｂに相当する）を有する上下２層のマットレスであり、マットレスカバー１とその内部に収容される２個の直方体のクッション（第１クッション４と第２クッション５）により構成されている。マットレスカバー１は、第１クッション４を収容するための内部空間を有する第１収容体２と、第２クッション５を収容するための内部空間を有する第２収容体３と、第１クッション４と第２クッション５の間に設けられる変形抑制シート６を含む。
【００５３】
但し第２実施形態のマットレスカバー１は、第１実施形態のマットレスカバー１と比較して、第１収容体２の第１上面生地２３（第１開口部２ｈおよび第１係合部材１１ａを含む）と第２収容体３の第２底面生地３１（第２開口部３ｈ、第２係合部材１１ｂ、および第３係合部材１２ａを含む）を入れ替えた形態となっている。すなわち図７に示すように、第２実施形態に係る第１収容体２の上面生地Ｘは、第１実施形態に係る第２底面生地３１（第２開口部３ｈ、第２係合部材１１ｂ、および第３係合部材１２ａを含む）と同等の構成になっている。また、第２実施形態に係る第２収容体３の底面生地Ｙは、第１実施形態に係る第１上面生地２３（第１開口部２ｈおよび第１係合部材１１ａを含む）と同等の構成になっている。
【００５４】
そのため第２実施形態では、第１収容体２と変形抑制シート６が、第２ファスナー１２によって着脱可能に連結される。このように第２実施形態における変形抑制シート６は、第２収容体３の代わりに第１収容体２へ連結可能となっている。このような形態であっても、変形抑制シート６を第２収容体３へ間接的に連結することができ、マットレスカバー１のズレを抑えることが可能である。
【００５５】
３．伸長率の測定方法
次に、以上に述べた伸長率の測定方法について説明する。図８は、伸張率の測定方法に関する説明図である。本発明における伸張率は、以下の方法により測定される。
【００５６】
水平な台の上で、縦３０cmかつ横２０cmに切断した測定サンプルＳ（変形抑制シートのサンプル）の縦方向の一端を固定クリップＣＬ１に固定する。また更に、固定クリップＣＬ１と可動クリップＣＬ２との間の距離Ｌが２０cmとなるように、測定サンプルＳの縦方向の他端を重さ２kgの可動クリップＣＬ２に固定する。
【００５７】
次に、固定クリップＣＬ１を持ち上げて水平に固定し、測定サンプルＳの縦方向を鉛直方向に一致させるとともに可動クリップＣＬ２を宙吊りの状態にして、測定サンプルＳが可動クリップＣＬ２の重みで鉛直下方へ引っ張られるようにする。これによって伸びた状態の測定サンプルＳの縦方向長さＤＬ（cm）を測定し、下記の（１）式を用いて伸張率Ｓ（％）の値が求められる。
Ｓ＝｛（ＤＬ−２０）／２０｝×１００    ・・・（１）
【００５８】
４．その他
以上、本発明の実施形態について説明したが、本発明の構成は上記実施形態に限られず、発明の主旨を逸脱しない範囲で種々の変更を加えることが可能である。すなわち上記実施形態は、全ての点で例示であって、制限的なものではないと考えられるべきである。本発明の技術的範囲は、上記実施形態の説明ではなく、特許請求の範囲によって示されるものであり、特許請求の範囲と均等の意味及び範囲内に属する全ての変更が含まれると理解されるべきである。
【産業上の利用可能性】
【００５９】
本発明は、マットレスカバーおよびマットレスに利用可能である。
【符号の説明】
【００６０】
１      マットレスカバー
２      第１収容体
３      第２収容体
４      第１クッション
５      第２クッション
６      変形抑制シート
１１      第１ファスナー
１１ａ    第１係合部材
１１ｂ    第２係合部材
１２      第２ファスナー
１２ａ    第３係合部材
１２ｂ    第４係合部材
２１      第１底面生地
２２      第１側面生地
２３      第１上面生地
３１      第２底面生地
３２      第２側面生地
３３      第２上面生地
１００、２００        マットレス
１００ａ、２００ａ    第１ユニット
１００ｂ、２００ｂ    第２ユニット
ＣＬ１    固定クリップ
ＣＬ２    可動クリップ
Ｓ        測定サンプル
【図１】
2020081382.tif 000003
【図２】
2020081382.tif 000004
【図３】
2020081382.tif 000005
【図４】
2020081382.tif 000006
【図５】
2020081382.tif 000007
【図６】
2020081382.tif 000008
【図７】
2020081382.tif 000009
【図８】
2020081382.tif 000010
【図９】
2020081382.tif 000011